(57)【要約】小型で軽量化され、平刃を揺動させることによって、硬い皮でも柔らかい皮でも漉くことができる皮漉機を提供する。皮を載せる台と、該皮を移動させるためのローラと、該皮を押えるための押え金と、該皮を漉くための平刃と、前記ローラと前記平刃をそれぞれ動かすための駆動機構と、を少なくとも備え、前記ローラと前記押え金とによって前記台上の押点で前記皮を上下から挟込みながら移動させ、前記押点から移動方向へ０〜５ｍｍの位置に設けた前記平刃を揺動させながら前記皮を漉くことを特徴とする。
2020059038.tif 000002
【特許請求の範囲】
【請求項１】
皮を載せる台と、該皮を移動させるためのローラと、該皮を押えるための押え金と、該皮を漉くための平刃と、前記ローラと前記平刃をそれぞれ動かすための駆動機構と、を少なくとも備え、前記ローラと前記押え金とによって前記台上の押点で前記皮を上下から挟込みながら移動させ、前記押点から移動方向へ０〜５ｍｍの位置に設けた前記平刃を揺動させながら前記皮を漉くことを特徴とする皮漉機。
【請求項２】
前記駆動機構が、前記ローラ用と前記平刃揺動用とで、それぞれ独立した駆動機構であることを特徴とする請求項１に記載の皮漉機。
【請求項３】
前記平刃が両刃であることを特徴とする請求項１又は２に記載の皮漉機。
【請求項４】
前記台上の前記押点の手前の位置に、揺動する前記平刃の両端部を覆い隠すための出張り部を設けたことを特徴とする請求項１又は２又は３に記載の皮漉機。
【請求項５】
前記押え金の前記皮を押える部分が、前記出張り部の間に入る幅であることを特徴とする請求項４に記載の皮漉機。
【請求項６】
前記平刃の手前側の前記台上に前記皮を載せるスペースを設けたことを特徴とする請求項１から５のいずれかに記載の皮漉機。
【発明の詳細な説明】
【技術分野】
【０００１】  本発明は、レザークラフトを趣味とする人が家庭で使用することができる小型の皮漉機に関するのもである。
【背景技術】
【０００２】  従来、皮漉機は、業務用のものが主流であって、円筒形の丸刃を使用して皮を漉いていた。従来品は、業務用であるので、刃の使用頻度を高く想定されており、刃先が丸くならないように砥石を用いた研磨機構を備えていた。その機構を使って丸刃を研ぐのであるが、刃先を最適の状態に研ぐには熟練の技が必要であり、研ぐ人によっては、かえって切れなくなったりしていた。また、刃を研ぐ際に火花が飛び散るので火災のおそれがあり、また、研ぐ機構によって皮漉機の重量や製造費用が増すことになり、また、大きな機械の作業スペースも必要となり、また、機械の準備も大掛かりであって、素早く出して、素早く片付けることができず、家庭用として用いるには不向きであった。【０００３】そこで、駆動機構を用いずに、主に人力で平刃を使って皮を漉く帯状皮革地用そぎ機の先行技術が開示されている（参考文献１）。
【先行技術文献】
【特許文献】
【０００４】
【特許文献１】特開昭５４−１２６７０１号公報（特許請求の範囲、２頁下段右欄２〜６行、第５図）
【発明の概要】
【発明が解決しようとする課題】
【０００５】  特許文献の先行技術は、業務用の皮漉機よりも軽量化されている点で優れているが、右手はある程度の力で平刃を動かすためのレバーを操作しなければならず、また、左手は皮を押さえなければならず、操作が複雑であって、簡単ではないという問題があった。また、刃が一定の方向しか動かないので硬い皮しか漉くことができず、軟らかい皮を上手く漉けないという問題があった。また、機械の使用対象も帯状の皮継ぎそぎ用であるので、刃の幅以上に広い皮を漉くことはできないという問題があった。また、漉く対象の皮を固定して漉くので、連続して漉けばレバーのアクション毎に漉き面に段がつくおそれがあり、また、曲線を漉けないし、また、面状の縁を連続的にうまく漉けないおそれがあった。【０００６】  本発明は、これらの問題を解決したものであって、小型で軽量化され、誰でも簡単に操作することができて、平刃を揺動させることによって、硬い皮でも柔らかい皮でも漉くことができる皮漉機を提供するものである。
【課題を解決するための手段】
【０００７】上記の目的を達成するために、本願発明の請求項１に係る皮漉機は、皮を載せる台と、該皮を移動させるためのローラと、該皮を押えるための押え金と、該皮を漉くための平刃と、前記ローラと前記平刃をそれぞれ動かすための駆動機構と、を少なくとも備え、前記ローラと前記押え金とによって前記台上の押点で前記皮を上下から挟込みながら移動させ、前記押点から移動方向へ０〜５ｍｍの位置に設けた前記平刃を揺動させながら前記皮を漉くことを特徴とする。【０００８】この構成を採用することにより、本願発明に係る請求項１の皮漉機は、皮を載せる台と、皮を刃の位置に移動させるローラと、漉く際に皮を押さえる押え金と、皮を漉く平刃と、ローラや平刃を動かす駆動機構と、を少なくとも備えており、ローラと押え金とで皮を上下から挟みこんで、ローラで皮を平刃へ移動させて、平刃を揺動させながら皮を漉いている。よって、平刃を利用しているので、皮を漉く厚みを変えても、均一の厚さで漉くことができる。また、平刃を刃に平行に揺動させるので、皮に対して切る作用が加わり、刃の食い込みがよくなる。よって、柔らかい皮も漉くことができる。皮の硬軟に合わせて、押点と平刃との距離を適宜変更することができる。これによって、皮を最適な切味の位置で漉くことができるし、皮が平刃とローラとの間に詰まるのを防止できる。なお、押点と平刃との距離は０〜５ｍｍが好適である。【０００９】また、本発明に係る皮漉機は、砥石で刃を研磨しないので、火花が飛び散らず、火災の発生を抑制できて、家庭でも安心して使用することができる。【００１０】また、本発明に係る請求項２の皮漉機は、請求項１に記載の皮漉機において、前記駆動機構が、前記ローラ用と前記平刃揺動用とで、それぞれ独立した駆動機構であることを特徴とする。【００１１】よって、本発明に係る皮漉機は、独立した駆動機構なので、構造をシンプルにすることができる。また、複雑な構造の動力伝達機構を必要としないので、軸受け部や摺動部にグリス封入型ボールベアリングやオイルレスメタルの部材を使用することができる。よって、皮漉機をメンテナンスフリーにすることができるので、整備が苦手な一般人でも使用できる家庭用皮漉機として使用することができる。また、駆動モータ一台あたりの負荷が小さくなるので、小型の駆動モータを使用できる。よって、皮漉機を小型で軽量化することができる。【００１２】本発明に係る請求項３の皮漉機は、請求項１又は２に記載の皮漉機において、前記平刃が両刃であることを特徴とする。また、本発明に係る請求項４の皮漉機は、請求項１又は２又は３に記載の皮漉機において、前記台上の前記押点の手前の位置に、揺動する前記平刃の両端部を覆い隠すため出張り部を設けたことを特徴とする。また、本発明に係る請求項５の皮漉機は、請求項４に記載の皮漉機において、前記押え金の前記皮を押える部分が、前記出張り部の間に入る幅であることを特徴とする。また、本発明に係る請求項６の皮漉機は、請求項１から５のいずれかに記載の皮漉機において、前記平刃の手前側の前記台上に前記皮を載せるスペースを設けたことを特徴とする。【００１３】皮漉機は、刃のある一定の範囲の位置で漉くことになる。本発明に係る皮漉機の平刃は、両刃であるので皮を漉く際、皮の進行方向を真直ぐ、反らすことなく進めることができるから皮の漉く厚みを一定に維持し易い。また、刃の切れ味が悪くなると、１８０度回転させて表裏を逆にして使用することにより、刃の未使用の部分を、通常使用する刃の位置に持っていけるので、刃そのものの交換回数を減らせることができて省資源となる。また、刃は、両刃の両面刃を用いることもできるので、その場合には、刃の切れ味が悪くなると、１８０度及び左右も回転させて使用することにより、４回刃の位置を変えることができ、さらに、刃そのものの交換回数を減らせることができる。【００１４】また、皮漉機の台の平刃の手前には、平刃の端部を覆い隠すことができる出張り部を、両端部にそれぞれ設けているので、平刃が揺動する際に、平刃の端部に皮が挟まることを防止することができる。よって、皮が皮漉機に挟まるトラブルを防止できて、快適な作業環境を維持することができる。また、押え金によって、台の両出張り部の間で皮を押さえるので、皮を確実に押さえることができる。よって、漉いた皮の品質を高水準に維持することができる。【００１５】また、本発明に係る皮漉機は、台の平刃の手前の箇所に漉く前の皮を載せるスペースがあるので、そのスペースに皮を載せることができる。よって、作業者は、皮を保持しなくてもよく、皮を漉く作業に集中することができるので、漉く作業が楽になる。
【発明の効果】
【００１６】  本発明に係る請求項１から６に記載の皮漉機によれば、コンパクトで軽量化しており、また、メンテナンスフリーで、しかも準備や片づけが簡単であり、また、火災の心配もないので、家庭用の皮漉機として最適である。また、平刃を使用して揺動させて皮を漉くので、どんな皮の厚みでも均一の厚さで漉くことができると共に皮の硬軟にかかわらず、どんな皮でも漉くことができる。因みに、丸刃であれば、曲面の押え金が必要となるが、厚みが変わると曲率の合った押え金を必要とする煩わしさがある（実際には、曲率に合った全ての押え金を揃えることができない）ので、平刃ではこの点も改善されている。
【図面の簡単な説明】
【００１７】
【図１】本発明の実施するための形態に係る皮漉機の模式的斜視図である。
【図２】本発明の実施するための形態に係る皮漉機の模式的構造図である。
【図３】本発明の実施するための形態に係る皮漉機であって、ローラと押え金とで皮を挟みこむ押点部分の模式的断面図である。
【図４】本発明の実施するための形態に係る皮漉機であって、押え金と台の出張り部と平刃との位置関係を示す模式的正面図である。
【図５】本発明の実施するための形態に係る皮漉機であって、（ａ）は、平刃の模式的断面図であり、（ｂ）は、平刃の模式的平面図である。
【発明を実施するための形態】
【００１８】本発明に係る皮漉機１は、金属製又は樹脂製であって、図１、図２に示すように、台２と、揺動する平刃３と、皮１１を押点６の位置で押える押え金５と、皮１１を押点６の位置で押え金５と挟み込みながら平刃３の位置に皮１１を送るローラ４と、平刃３を揺動させるための平刃揺動用モータ３−１と、平刃揺動機構３−２と、ローラ４を回転させるためのローラ用モータ４−１と、を少なくとも備えている。
【００１９】台２は函体であって、平刃３、平刃揺動機構３−２、平刃揺動用モータ３−１、ローラ４、ローラ用モータ４−１を少なくとも内部に備えており、台２の上面に平刃３の刃先とローラ４の上端部が露出している。また、台２の上面には平刃３の両端部を隠すための２つの出張り部２−１、皮１１を載せるためのスペース部２−２を少なくとも備えている。
【００２０】平刃３は、図５に示すように、平刃であるので、皮１１を漉く厚みを変更しても、皮１１の中央部も端部も同じ厚さで均一に漉くことができる。また、平刃３は、平刃揺動用モータ３−１と平刃揺動機構３−２によって水平（刃に平行で左右方向）に揺動するので、皮１１を切る作用によって、柔らかい皮１１でも漉くことができる。また、平刃３の前後の位置は、固定されており、皮１１の硬さに合わせて、押点６（押え金５）を、近付けたり、離したりできる。また、平刃３の両端部は、それぞれ台２の出張り部２−１に隠れている箇所で揺動しているので、皮１１が平刃３の端部に引っ掛かって、機械が停止したり故障したりするトラブルを防止する。平刃揺動機構３−２としては、例えば、図２に示すように、スライダクランク機構がある。また、平刃３は、両刃の両面刃であって、揺動によって刃の使用頻度の高い箇所は一部分なので、刃３が切れなくなってきても、前後左右に裏返して使用すれば、刃３の使用頻度の低い箇所を、使用頻度の高い箇所に持っていくことができる。よって、替刃の購入数を減少させることができる。なお、平刃３は、前後方向と上下方向の位置は固定されている。また、平刃３は、切れ難くくなると裏返して使用し、次に切れ難くくなると交換するのが基本であるが、刃３を皮漉機１から外して、研ぎ直すこともできる。
【００２１】ローラ４は、ローラ用モータ４−１と同軸上にあり、ローラ用モータ４−１によって回転して、皮１１を平刃３の位置に送り込む。本発明に係る皮漉機１は、押点６の位置で、ローラ４によって下から、押え金５によって上から、皮１１を押さえ込んで、上下方向に動かなくすることができる。このことによって、平刃３が皮１１に切込みながら揺動して漉くことができる。ローラ４は、上下方向に微調整することができると共にバネの作用によって上下方向に動くことができ、また、平刃３の上下方向の位置が固定されているので、皮１１を漉いて捨てられる皮１１−２の厚みを調整することができる。また、ローラ４とローラ用モータ４−１は、押え金５からの過剰な負荷を受けた場合は、前記バネの作用によって、下方に動き、過剰な負荷をいなすことができる。これにより、ローラに過剰な負荷が掛かって故障するのを防止できる。なお、漉かれた後の不要な皮１１−２は、ダストボックス７にそのまま入って、作業終了後に廃棄される。
【００２２】押え金５は、皮１１を押点６の位置で上から押さえて、ローラ４とで皮１１を挟みこんで、皮１１が上下方向に動かないようにしている。押え金５は、上下方向に微調整でき、また、平刃３の上下方向の位置が固定されているので、漉いた皮１１−１の厚みを調整することができる。また、押え金５を取付けたアームの位置を調整することによって、押点６の前後位置を調整することができ、また平刃３の前後方向の位置が固定されているので、皮１１の硬軟によって適宜、平刃３と押点６との最適な位置関係を調整することができる。押え金５の皮１１を押さえる部分の幅は、台２の二つの出張り部分２−１の間に収まる長さが、皮１１を確実に押さえることができるので好適である。なお、押え金５は、押える皮１１の大きさや種類によって、交換することができる。
【００２３】次に、本発明に係る皮漉機１の製造方法の一例を示す。図２に示すように、所定の形状に加工した台２の下部函体に仕切り壁を取付けた後、所定の手順で、平刃揺動用モータ３−１、平刃揺動機構３−２等をボルト等で台２の下部函体に固定していき、平刃３を平刃揺動機構３−２に取付ける。その後、所定の形状に加工したテーブル（ローラ４側の台２上部部材）を、台２下部函体に取付けた後、押え金５を取付けた押え金アーム一式を台２に取付け、ローラ用モータ４−１、ローラ４を備えたユニットを取付け、所定の配線をした後に、蓋（平刃揺動用モータ３−１側の台２上部部材）を台２下部函体にボルトで固定して完成する。本発明に係る皮漉機１は、構造が複雑ではないので、部材にグリス封入型ボールベアリング等のメンテナンスフリーの部材が使え、整備が苦手な購入者が使っても不具合が生じない。
【００２４】次に、本発明に係る皮漉機１の使用方法の一例を示す。皮漉機１をテーブルの上に置き、差込プラグをコンセントに差込む。漉き上がった皮１１−１が所定の厚みになるように押え金５の高さを、また、必要に応じて皮１１の硬軟に合わせて押え金５を備えたアームの前後の位置を調節する。その後皮１１を台２のスペース部２−２に載せてから、スイッチを入れ、ローラ４を回転させるモータ４−１と平刃３を揺動させるモータ３−１を駆動させる。作業者は両手で皮１１を平刃３の方に移動させると、皮１１がローラ４に載って移動し、押点６でローラ４と押え金５によって挟んで、皮１１を上下方向に動かなくした後、平刃３が揺動しながら皮１１を漉いていく。皮１１は漉かれた後は、必要な皮１１−２が台２の上を移動していき、不要な皮１１−２は、ローラ４によって、ダストボックス７内に収納される。作業終了後電源を落として、ダストボックス７に漉かれた不要な皮１１−２を捨てた後、皮漉機１を片付けて作業が終了する。なお、ローラ４とローラ用モータ４−１を備えたユニットはバネを有しているので、不要な皮１１−２の厚みに応じて上下方向に動き、不要な皮１１−２を排出することができる。
【００２５】本発明に係る皮漉機１を使用すれば、軽量でコンパクトでメンテナンスフリーで、機械の準備や片付けが簡単なので、家庭用として使用するのに最適である。また、漉く皮１１の厚みが変わっても、左右均一の厚みで漉くことができる。また、皮１１の硬軟にかかわらず、皮１１を漉くことができる。また、平刃３の交換が簡単であって、刃を研ぐ必要がないので、手間がかからない。また、本発明に係る皮漉機１は、内部に砥石を備えていないので、研ぎ作業による火花が出ずに、火災の心配がないと共に、軽量化も図ることができる。
【産業上の利用可能性】
【００２６】  皮漉機として広く利用することができる。
【符号の説明】
【００２７】１：皮漉機２：台          ２−１：出張り部          ２−２：（台）スペース部３：平刃        ３−１：平刃揺動用モータ  ３−２：平刃揺動機構３−３：平刃端部揺動幅４：ローラ      ４−１：ローラ用モータ    ５：押え金６：押点７：ダストボックス１１：皮      １１−１：漉いた皮        １１−２：漉かれた不要な皮
【図１】
2020059038.tif 000003
【図２】
2020059038.tif 000004
【図３】
2020059038.tif 000005
【図４】
2020059038.tif 000006
【図５】
2020059038.tif 000007
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、前後、上下方向に固定された該平刃を、グリス封入ボールベアリングを用いたスライダクランク機構によって該平刃の刃に平行に揺動させながら該皮を漉くことを特徴とする皮漉機。
【請求項２】
皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、該ローラと該ローラを駆動させるローラ用モータがユニットになっており、該ユニットがバネの作用で上下方向に一体となって動くことができ、また、前後、上下方向は固定され該平刃を、スライダクランク機構によって該平刃の刃に平行に揺動させながら該皮を漉くことを特徴とする皮漉機。
【請求項３】
前記平刃が両刃であることを特徴とする請求項１又は２に記載の皮漉機。
【請求項４】
前記台上の前記押点の手前の位置に、揺動する前記平刃の両端部を覆い隠すように前記台に接した出張り部を設けたことを特徴とする請求項１又は２又は３に記載の皮漉機。
【請求項５】
前記押え金の前記皮を押える部分が、前記出張り部の間に入る幅であることを特徴とする請求項４に記載の皮漉機。
【請求項６】
前記平刃の手前側の前記台上に前記皮を載せるスペースを設けたことを特徴とする請求項１から５のいずれかに記載の皮漉機。
【手続補正２】
【補正対象書類名】明細書
【補正対象項目名】０００７
【補正方法】変更
【補正の内容】
【０００７】
上記の目的を達成するために、本願発明の請求項１に係る皮漉機は、皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、前後、上下方向に固定された該平刃を、グリス封入ボールベアリングを用いたスライダクランク機構によって該平刃の刃に平行に揺動させながら該皮を漉くことを特徴とする。
【手続補正３】
【補正対象書類名】明細書
【補正対象項目名】００１０
【補正方法】変更
【補正の内容】
【００１０】
皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、該ローラと該ローラを駆動させるローラ用モータがユニットになっており、該ユニットがバネの作用で上下方向に一体となって動くことができ、また、前後、上下方向は固定され該平刃を、スライダクランク機構によって該平刃の刃に平行に揺動させながら該皮を漉くことを特徴とする。
【手続補正４】
【補正対象書類名】明細書
【補正対象項目名】００１２
【補正方法】変更
【補正の内容】
【００１２】
本発明に係る請求項３の皮漉機は、請求項１又は２に記載の皮漉機において、前記平刃が両刃であることを特徴とする。また、本発明に係る請求項４の皮漉機は、請求項１又は２又は３に記載の皮漉機において、前記台上の前記押点の手前の位置に、揺動する前記平刃の両端部を覆い隠すように前記台に接した出張り部を設けたことを特徴とする。また、本発明に係る請求項５の皮漉機は、請求項４に記載の皮漉機において、前記押え金の前記皮を押える部分が、前記出張り部の間に入る幅であることを特徴とする。また、本発明に係る請求項６の皮漉機は、請求項１から５のいずれかに記載の皮漉機において、前記平刃の手前側の前記台上に前記皮を載せるスペースを設けたことを特徴とする。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、該ローラと該ローラを駆動させるローラ用モータがユニットになっており、該ユニットがバネの作用で上下方向に一体となって動くことができ、また、前後、上下方向は固定され該平刃を、スライダクランク機構によって該平刃の刃に平行に揺動させながら該皮を漉くことを特徴とする皮漉機。
【請求項２】
前記平刃が両刃であることを特徴とする請求項１に記載の皮漉機。
【請求項３】
前記平刃の手前側の前記台上に前記皮を載せるスペースを設けたことを特徴とする請求項１又は２に記載の皮漉機。
【手続補正２】
【補正対象書類名】明細書
【補正対象項目名】０００７
【補正方法】変更
【補正の内容】
【０００７】
上記の目的を達成するために、本願発明の請求項１に係る皮漉機は、皮を載せる台と、該皮を移動させるためのローラと、該皮を押えるための押え金と、該皮を漉くための平刃と、該ローラと該平刃とをそれぞれ該ローラ用と該平刃揺動用とで独立して動かすための駆動機構と、を少なくとも備え、該ローラと該押え金とによって該台上の押点で該皮を上下から挟込みながら移動させ、該押点から移動方向へ０〜５ｍｍの位置に設けられ、該ローラと該ローラを駆動させるローラ用モータがユニットになっており、該ユニットがバネの作用で上下方向に一体となって動くことができ、また、前後、上下方向は固定され該平刃を、スライダクランク機構によって該平刃の刃に平行に揺動させながら該皮を漉くことを特徴とする。
【手続補正３】
【補正対象書類名】明細書
【補正対象項目名】００１０
【補正方法】変更
【補正の内容】
【００１０】
また、本発明に係る請求項２の皮漉機は、請求項１に記載の皮漉機において、前記平刃が両刃であることを特徴とする。
【手続補正４】
【補正対象書類名】明細書
【補正対象項目名】００１２
【補正方法】変更
【補正の内容】
【００１２】
本発明に係る請求項３の皮漉機は、請求項１又は２に記載の皮漉機において、前記平刃の手前側の前記台上に前記皮を載せるスペースを設けたことを特徴とする。
【国際調査報告】
2020059038.tif 000008
2020059038.tif 000009
2020059038.tif 000010
2020059038.tif 000011